(57)【要約】      （修正有）【課題】折りたたみ可能な装置を提供する。【解決手段】折りたたむことができる表示部１０１と、表示部１０１を保持することができる第１の筐体１１１と、表示部１０１を保持することができる第２の筐体１１２とを有し、第１の筐体１１１は、表示部が開いているときは、第２の筐体１１２と離間し、第１の筐体１１１は、表示部が折りたたまれているときは、第２の筐体１１２と接することができ、折りたたみ可能な装置を提供できる。【選択図】図１
2020190741.tif 000002
【特許請求の範囲】
【請求項１】
折りたたむことができる表示部と、
前記表示部を保持することができる第１の筐体と、
前記表示部を保持することができる第２の筐体と、を有し、
前記第１の筐体は、前記表示部が開いているときは、前記第２の筐体と離間し、
前記第１の筐体は、前記表示部が折りたたまれているときは、前記第２の筐体と接することができ、
前記第１の筐体の内側には、第１の緩衝材を有し、
前記第２の筐体の内側には、第２の緩衝材を有し、
前記表示部が折りたたまれているとき、前記表示部の第１の折曲領域は、前記第１の筐体の内側にあり、かつ前記表示部の第２の折曲領域は前記第２の筐体の内側にあり、
前記表示部が折りたたまれているとき、前記表示部の第１の折曲領域は、前記第１の緩衝材と接し、かつ前記表示部の第２の折曲領域は、前記第２の緩衝材と接する電子機器。
【請求項２】
折りたたむことができる表示部と、
前記表示部を保持することができる第１の筐体と、
前記表示部を保持することができる第２の筐体と、
前記表示部と重なる領域を有するタッチパネルと、を有し、
前記第１の筐体は、前記表示部が開いているときは、前記第２の筐体と離間し、
前記第１の筐体は、前記表示部が折りたたまれているときは、前記第２の筐体と接することができ、
前記第１の筐体の内側には、第１の緩衝材を有し、
前記第２の筐体の内側には、第２の緩衝材を有し、
前記表示部が折りたたまれているとき、前記表示部の第１の折曲領域は、前記第１の筐体の内側にあり、かつ前記表示部の第２の折曲領域は前記第２の筐体の内側にあり、
前記表示部が折りたたまれているとき、前記表示部の第１の折曲領域は、前記第１の緩衝材と接し、かつ前記表示部の第２の折曲領域は、前記第２の緩衝材と接する電子機器。
【発明の詳細な説明】
【技術分野】
【０００１】
本発明は、物、方法、または、製造方法に関する。または、本発明は、プロセス、マシ
ン、マニュファクチャ、または、組成物（コンポジション・オブ・マター）に関する。特
に、本発明の一態様は、半導体装置、表示装置、発光装置、照明装置、それらの駆動方法
、または、それらの製造方法に関する。特に、本発明の一態様は、ディスプレイ、発光装
置、半導体装置、電子機器または情報処理装置等に関し、これらの構造、作製方法、また
は使用方法等に関するものである。
【背景技術】
【０００２】
携帯型装置の開発が、盛んにおこなわれている。携帯型装置として、可撓性を有するパ
ネルを有し、可撓性の表示パネルの一端部に支持部を有する表示装置が知られている（特
許文献１）。
【先行技術文献】
【特許文献】
【０００３】
【特許文献１】特開２０１０−２８２１８３号公報
【発明の概要】
【発明が解決しようとする課題】
【０００４】
上記特許文献１に記載されている表示装置により、可撓性を有するパネルを取り扱う際
に、駆動回路が壊れることの低減が図られてきた。しかしながら、少なくとも以下の点に
ついて、検討の余地が残されていた。
【０００５】
（折りたたむ形態について）
上記特許文献１では、図７、図８を用いて折曲部Ｃおよび非折曲部Ｄについて説明がさ
れている。しかしながら、上記特許文献１では、具体的に折りたたまれた形態の記載がな
かった。
【０００６】
上記特許文献１では、図８（Ｂ）等で、折曲部Ｃが複数あることについて記載されてい
るが、複数の折曲部Ｃの折り曲げる形態について、具体的な記載がなかった。
【０００７】
そこで、本発明の一態様は、折りたたみ可能な装置を提供する。または、本発明の一態
様は、折りたたんだ状態で表示部を使用可能とする。または、本発明の一態様は、新規な
装置を提供する。なお、これらの課題の記載は、他の課題の存在を妨げるものではない。
なお、本発明の一態様は、これらの課題の全てを解決する必要はないものとする。なお、
これら以外の課題は、明細書、図面、請求項などの記載から、自ずと明らかとなるもので
あり、明細書、図面、請求項などの記載から、これら以外の課題を抽出することが可能で
ある。
【課題を解決するための手段】
【０００８】
本発明の一態様は、折りたたむことができる表示部と、
前記表示部を保持することができる第１の筐体と、
前記表示部を保持することができる第２の筐体とを有し、
前記第１の筐体は、前記表示部が開いているときは、前記第２の筐体と離間し、
前記第１の筐体は、前記表示部が折りたたまれているときは、前記第２の筐体と接す
ることができる
ことを特徴とする半導体装置である。
【０００９】
本発明の一態様は、折りたたむことができる表示部と、
前記表示部を駆動することができる回路部と、
前記表示部を保持することができる第１の筐体と、
前記表示部を保持することができる第２の筐体とを有し、
前記第１の筐体は、前記表示部が開いているときは、前記第２の筐体と離間され、
前記第１の筐体は、前記表示部が折りたたまれているときは、前記第２の筐体と接す
ることができ、
前記回路部は、前記第１の筐体又は前記第２の筐体に接して設けられた
ことを特徴とする半導体装置である。
【発明の効果】
【００１０】
本発明の一態様によれば、折りたたみ可能な装置を提供できる。装置は、ディスプレイ
、発光装置、半導体装置、電子機器または情報処理装置とすることができる。なお、本発
明の一態様はこれらの効果に限定されるものではない。例えば、本発明の一態様は、場合
によっては、または、状況に応じて、これらの効果以外の効果を有する場合もある。また
は、例えば、本発明の一態様は、場合によっては、または、状況に応じて、これらの効果
を有さない場合もある。
【図面の簡単な説明】
【００１１】
【図１】実施の形態に係る半導体装置の構成を説明する図。
【図２】実施の形態に係る半導体装置の構成を説明する図。
【図３】実施の形態に係る半導体装置の構成を説明する図。
【図４】実施の形態に係る半導体装置の構成を説明する図。
【図５】実施の形態に係る発光パネルの構成を説明する図。
【図６】発光装置の斜視図。
【図７】電子機器の図。
【発明を実施するための形態】
【００１２】
実施の形態について、図面を用いて詳細に説明する。但し、本発明は以下の説明に限定
されず、本発明の趣旨及びその範囲から逸脱することなくその形態及び詳細を様々に変更
し得ることは当業者であれば容易に理解される。従って、本発明は以下に示す実施の形態
の記載内容に限定して解釈されるものではない。なお、以下に説明する発明の構成におい
て、同一部分又は同様な機能を有する部分には同一の符号を異なる図面間で共通して用い
、その繰り返しの説明は省略する。
【００１３】
（実施の形態１）
本実施の形態では、本発明の一態様の半導体装置の構成について、図面を参照しながら
説明する。
【００１４】
図１（Ａ）、（Ｂ）は、本発明の一態様の半導体装置を説明する図であって、図１（Ａ
）を用いて、折りたたまれた形態を説明する。
【００１５】
半導体装置１００は、表示部１０１を有する。表示部１０１は、折りたたむことが可能
である。半導体装置１００は、表示部１０１を保持する第１の筐体１１１と、第２の筐体
１１２とを有する。第１の筐体１１１は、表示部１０１が折りたたまれているため、第２
の筐体１１２と接することができる。折りたたんだ形態を維持するために、第１の筐体１
１１と第２の筐体とが接する第１の領域１０２において、第１の筐体１１１は、第１の嵌
合部１１３を有し、第２の筐体１１２は、第２の嵌合部１１４を有する。また第１の筐体
１１１と第２の筐体とが接する第２の領域１２２において、第１の筐体１１１は、第３の
嵌合部１２３を有し、第２の筐体１１２は、第４の嵌合部１２４を有する。例えば、第１
の嵌合部１１３と第２の嵌合部１１４とは、サイドリリースバックルやフロントリリース
バックルなど爪部を有する引掛け部で構成することができる。第３の嵌合部１２３と第４
の嵌合部１２４とは、サイドリリースバックルやフロントリリースバックルなどで構成す
ることができる。この場合、第１の嵌合部１１３、または第３の嵌合部１２３をソケット
（爪凹部）とし、第２の嵌合部１１４、または第４の嵌合部１２４をプラグ（爪凸部）と
するとよい。
【００１６】
折りたたまれた形態でも、表示部１０１を使用することができる。そのため、表示部１
０１の一部が表を向くように折りたたむ。この状態で、第１の筐体１１１と表示部１０１
とが重なる領域１１８において、第１の筐体１１１は透明領域１１１ａを有する。表示部
１０１は、透明領域１１１ａと接することができる。透明領域１１１ａは、表示部１０１
に対して全面に無くてもよく、枠の形状を有してもよい。
【００１７】
表示部１０１の一部が表を向くためには、たとえば、表示部１０１が偶数箇所の折曲領
域を有し、当該折曲領域の折り曲げ方向が逆となるように折りたためばよい。図１（Ａ）
には、２つの折曲領域（１２８、１２９）を有し、表示部１０１の一部が表を向いた形態
を示す。領域１２８は、領域１２９と折り曲げ方向が逆、つまり領域１２８が山折りであ
れば、領域１２９は谷折りとなる。折曲領域では、表示部１０１は、アクティブタイプの
パネルの場合、トランジスタの折り曲げ強度を考慮すると、曲率半径は４ｍｍ以上が好ま
しい。勿論、フレキシブルな表示部１０１は、折曲領域以外でも、曲面を有することがで
きる。
【００１８】
第１の筐体１１１や第２の筐体１１２によって形成される半導体装置１００の内部厚み
１１９は、表示部１０１の曲率半径の２倍から５倍を有する。第１の筐体１１１や第２の
筐体１１２に、表示部１０１の曲率に合わせた曲面を持たせてもよい。それにより、第１
の筐体１１１や第２の筐体１１２と、表示部１０１との間の空間を低減させることができ
る。その結果、半導体装置１００の厚み１２０を一層薄くすることが可能である。この厚
み１２０は、意匠の洗練さを考慮すると内部厚み１１９の２倍以下が好ましい。
【００１９】
図１（Ｂ）には、表示部１０１を折りたたんだ状態から、広げる様子を示す。第１の嵌
合部１１３乃至第４の嵌合部１２４を非嵌合状態とし、第１の筐体１１１を、第２の筐体
１１２から離す。表示部１０１の一部は、第１の筐体１１１の透明領域１１１ａを含む領
域に固定され、表示部１０１の他の一部は、第２の筐体１１２の一部に固定されている。
【００２０】
図２（Ａ）、（Ｂ）には、表示部１０１を広げた状態を示す。図２（Ａ）は断面図、図
２（Ｂ）は上面図である。図２（Ａ）、（Ｂ）に示すように、表示部１０１は、第１の筐
体１１１と重なる領域１４６、第２の筐体１１２と重なる領域１４８、いずれとも重なら
ない領域１４７を有する。領域１４７は、いずれの筐体とも接しないため、領域１４６、
１４８と比較して、柔軟性が高い。領域１４７は、領域１４６より広い面積を有すること
ができる。領域１４７は、領域１４８より広い面積を有することができる。
【００２１】
領域１４６は、図１（Ａ）のように表示部１０１を折りたたんだとき、表示可能領域と
なる。そのため、領域１４６は領域１４８よりも広い面積を有することができる。
【００２２】
このような領域１４６乃至１４８間で、表示部１０１の視認性を等しくする場合、図２
（Ａ）で示すように、表示部１０１の裏側（筐体１１２と接している表示部１０１の面）
に黒色のフィルム１４５を配置する。フィルム１４５は、有機材料を有し、表示部１０１
よりも薄膜化されたフィルムを用いる。その結果、表示部１０１に追従して曲がることが
できる。フィルム１４５は、繰り返しの曲げ伸ばしやよれに耐えられるように高強度・高
弾性率素材であると、補強も兼ねられ好ましい。これらを踏まえてフィルム１４５の素材
としては例えば、アラミド系やポリアリレート系等のスーパー繊維が挙げられる。
【００２３】
図２（Ｂ）に示すように、第１の筐体１１１と、第２の筐体１１２とを持つことで、広
げられた表示部１０１を利用することができる。勿論、第１の筐体１１１のみを持って表
示部１０１を利用してもよい。また、第２の筐体１１２のみを持って表示部１０１を利用
してもよい。
【００２４】
第１の筐体１１１は、持ち手となるため、硬度に変化を持たせて、握りやすくしてもよ
い。半導体装置１００の側面に当たる第１の筐体１１１の領域１１１ｂは、その他の領域
よりも固い材料を有しつつ、その他の領域は柔らかい材料を有してもよい。第２の筐体１
１２においても同様に、半導体装置１００の側面に当たる領域１１２ａは、その他の領域
よりも固い材料を有しつつ、その他の領域は柔らかい材料を有してもよい。
【００２５】
第１の筐体１１１は、入力装置を備えていてもよい。第２の筐体１１２は、入力装置を
備えていてもよい。
【００２６】
第３の嵌合部１２３と第４の嵌合部１２４が表示部１０１と重なり、視認性が低下する
場合、第３の嵌合部１２３と第４の嵌合部１２４は、透光性を有する材料を有するとよい
。また、図２（Ｂ）で示したとおり、これら嵌合部が視認性を考慮して表示部１０１の端
部に配置するのが好ましいが、表示部１０１中央部まで配置しても良い。これに対して第
１の嵌合部１１３と第２の嵌合部１１４は、筐体１１１と筐体１１２とを嵌合及び離脱さ
せることができる形式であれば良い。
【００２７】
嵌合部１１４から、半導体装置１００の側面に当たる領域１１２ａまでが透光性を有す
る部分で構成される場合、表示部１０１を折りたたんだ状態で表示が確認できる領域が大
きくなり、好ましい。この領域に相当する表示部１０１は、ランプの点滅・点灯など、簡
単な信号（メールや着信の有無）を受け取るのに用いるとよい。
【００２８】
また、表示部１０１がデュアルエミッションタイプであるならば、第１の嵌合部１１３
、第２の嵌合部１１４、表示部１０１と接着している筐体１１１の部分も透光性をもつ方
が好ましい。この場合、フィルム１４５は透光性を有する。筐体１１１および筐体１１２
が透光性を有してもよい。
【００２９】
折曲領域１２９は、領域１４６と領域１４７との間に設けられ、折り曲げ領域１２８は
、領域１４７と、領域１４８との間に設けられる。
【００３０】
その他、表示部１０１と重なって配置された入力装置として、タッチパネルを搭載して
もよい。タッチパネルには、光学式タッチパネル、静電容量式タッチパネル等が挙げられ
る。表示部１０１が柔軟性に富むため、光学式タッチパネルが好ましい。
【００３１】
このようにして、折りたたみ可能な装置を提供することができる。
【００３２】
図３に示すように、第１の緩衝材１３１を、第１の筐体１１１と、表示部１０１との間
に配置してもよい。同様に、第２の緩衝材１３２を、第２の筐体１１２と、表示部１０１
との間に配置してもよい。第１の筐体１１１や第２の筐体１１２は、表示部１０１を保持
するため、表示部１０１よりも固い材料を有する。表示部１０１が折りたたまれた状態で
、第１の筐体１１１と表示部１０１、第２の筐体１１２と表示部１０１とが接触すると、
表示部１０１が衝撃を受けやすくなる。そのため、図３で示すように、第１の緩衝材１３
１や第２の緩衝材１３２によって、表示部１０１への衝撃を和らげることができる。
【００３３】
図４（Ａ）には、外付回路領域１５０を備えた半導体装置１００を示す。画素部を有す
る表示部１０１は、当該画素部と同一面上の走査線駆動回路や信号線駆動回路を有しても
よい。しかしながら、表示部１０１は折曲領域１２８、１２９を有するため、走査線駆動
回路や信号線駆動回路は、外付回路領域１５０に設けるとよい。すなわち、外付回路領域
１５０には、回路部が設けられている。外付回路領域１５０に回路部を設ける結果、表示
部１０１の柔軟性を高めることもできる。表示部１０１の配線は、フレキシブルプリント
回路基板（ＦＰＣ、図示せず）を介して、外付回路領域１５０の駆動回路と電気的に接続
することができる。半導体装置１００の小型化を維持するため、外付回路領域１５０は、
表示部１０１と重なるように配置するとよい。たとえば、第２の筐体１１２の外側に配置
することができる。外付回路領域１５０には駆動回路以外、バッテリーなどを配置しても
よい。
【００３４】
図４（Ｂ）には、外付回路領域１５０ａ、１５０ｂを備えた半導体装置を示す。図４（
Ａ）とは、外付回路領域１５０の配置箇所が異なっている。第１の筐体１１１に外付回路
領域１５０ａを接して設け、第２の筐体１１２に外付回路領域１５０ｂを接して設けても
よい。図４（ａ）より、半導体装置１００全体の厚みを薄くすることができる。
【００３５】
このようにして、折りたたみ可能な半導体装置を提供することができる。
【００３６】
（実施の形態２）
本実施の形態では、本発明の一態様であって、折り曲げ可能な発光パネルの構成につい
て、図５を参照しながら説明する。なお、本実施の形態で説明する折り曲げ可能な発光パ
ネルを備える発光装置は、折りたたみ可能な表示装置または情報処理装置の入出力装置と
して利用することができる。
【００３７】
なお、本実施の形態で説明する発光パネルは、発光素子と撮像素子を有し、画像情報を
表示する表示パネルとして機能するだけでなく、情報の入力手段として用いることができ
る。
【００３８】
図５（Ａ）は本発明の一態様に適用可能な発光パネルの構造を説明する上面図である。
【００３９】
図５（Ｂ）は図５（Ａ）の切断線Ａ−Ｂおよび切断線Ｃ−Ｄにおける断面図である。
【００４０】
図５（Ｃ）は図５（Ａ）の切断線Ｅ−Ｆにおける断面図である。
【００４１】
《上面図の説明》
本実施の形態で例示する発光パネル３００は表示部３０１を有する（図５（Ａ）参照）
。
【００４２】
表示部３０１は、複数の画素３０２と複数の撮像画素３０８を備える。撮像画素３０８
は表示部３０１に触れる指等を検知することができる。これにより、撮像画素３０８を用
いてタッチセンサを構成することができる。
【００４３】
画素３０２は、複数の副画素（例えば副画素３０２Ｒ）を備える。一つの撮像画素３０
８は、複数の副画素、たとえば３つの副画素に対応して設けられる。副画素は発光素子お
よび発光素子を駆動する電力を供給することができる画素回路を備える。
【００４４】
画素回路は、選択信号を供給することができる配線および画像信号を供給することがで
きる配線と、電気的に接続される。
【００４５】
撮像画素３０８は、光電変換素子および光電変換素子を駆動する撮像画素回路を備える
。
【００４６】
撮像画素回路は、制御信号を供給することができる配線および電源電位を供給すること
ができる配線と電気的に接続される。
【００４７】
制御信号としては、例えば記録された撮像信号を読み出す撮像画素回路を選択すること
ができる信号、撮像画素回路を初期化することができる信号、および撮像画素回路が光を
検知する時間を決定することができる信号などを挙げることができる。
【００４８】
図５（Ａ）の表示部３０１のうち、領域３９５は、折りたたんだ状態でも、利用するこ
とができる。
【００４９】
《断面図の説明》
発光パネル３００は、基板３１０および基板３１０に対向する対向基板３７０を有する
（図５（Ｂ）参照）。
【００５０】
基板３１０は、可撓性を有する基板３１０ｂ、意図しない不純物の発光素子への拡散を
防ぐバリア膜３１０ａおよび基板３１０ｂとバリア膜３１０ａを貼り合わせる接着層３１
０ｃが積層された積層体である。
【００５１】
対向基板３７０は、可撓性を有する基板３７０ｂ、意図しない不純物の発光素子への拡
散を防ぐバリア膜３７０ａおよび基板３７０ｂとバリア膜３７０ａを貼り合わせる接着層
３７０ｃの積層体である（図５（Ｂ）参照）。
【００５２】
可撓性を有する基板３１０ｂ、３７０ｂを備えた表示部３０１は、折り曲げることがで
きる。表示部３０１に駆動回路を配置させない場合、駆動回路が折曲領域に重なることが
ない。駆動回路が壊れることがない。表示部３０１は、曲げやすくなる。
【００５３】
封止材３６０は対向基板３７０と基板３１０を貼り合わせている。また、封止材３６０
は空気より大きい屈折率を備え、光学接合層を兼ねる。画素回路および発光素子（例えば
第１の発光素子３５０Ｒ）は基板３１０と対向基板３７０の間にある。
【００５４】
《画素の構成》
画素３０２は、副画素３０２Ｒ、副画素３０２Ｇおよび副画素３０２Ｂを有する（図５
（Ｃ）参照）。また、副画素３０２Ｒは発光構造体３８０Ｒを備え、副画素３０２Ｇは発
光構造体３８０Ｇを備え、副画素３０２Ｂは発光構造体３８０Ｂを備える。
【００５５】
例えば副画素３０２Ｒは、第１の発光素子３５０Ｒおよび第１の発光素子３５０Ｒに電
力を供給することができるトランジスタ３０２ｔを含む画素回路を備える（図５（Ｂ）参
照）。また、発光構造体３８０Ｒは第１の発光素子３５０Ｒおよび光学素子（例えば着色
層３６７Ｒ）を備える。
【００５６】
発光素子３５０Ｒは、第１の下部電極３５１Ｒ、上部電極３５２、下部電極３５１Ｒと
上部電極３５２の間に発光性の有機化合物を含む層３５３を有する（図５（Ｃ）参照）。
【００５７】
発光性の有機化合物を含む層３５３は、発光ユニット３５３ａ、発光ユニット３５３ｂ
および発光ユニット３５３ａと発光ユニット３５３ｂの間に中間層３５４を備える。発光
ユニット３５３ａからの発光と、発光ユニット３５３ｂからの発光とが重なりあうことで
、白色発光となる。
【００５８】
発光構造体３８０Ｒは、第１の着色層３６７Ｒを対向基板３７０に有する。着色層は特
定の波長を有する光を透過するものであればよく、例えば赤色、緑色または青色等を呈す
る光を選択的に透過するものを用いることができる。または、発光素子の発する光をその
まま透過する領域を設けてもよい。
【００５９】
例えば、発光構造体３８０Ｒは、第１の発光素子３５０Ｒと第１の着色層３６７Ｒに接
する封止材３６０を有する。
【００６０】
第１の着色層３６７Ｒは第１の発光素子３５０Ｒと重なる位置にある。これにより、発
光素子３５０Ｒが発する光の一部は、光学接合層を兼ねる封止材３６０および第１の着色
層３６７Ｒを透過して、図中の矢印に示すように外部に射出される。第１の着色層３６７
Ｒの色が赤色であれば、赤色が外部に射出される。
【００６１】
《表示パネルの構成》
発光パネル３００は、遮光層３６７ＢＭを対向基板３７０に有する。遮光層３６７ＢＭ
は、着色層（例えば第１の着色層３６７Ｒ）を囲むように設けられている。
【００６２】
発光パネル３００は、反射防止層３６７ｐを表示部３０１に重なる位置に備える。反射
防止層３６７ｐとして、例えば円偏光板を用いることができる。
【００６３】
発光パネル３００は、絶縁膜３２１を備える。絶縁膜３２１はトランジスタ３０２ｔを
覆っている。なお、絶縁膜３２１は画素回路に起因する凹凸を平坦化するための層として
用いることができる。また、不純物のトランジスタ３０２ｔ等への拡散を抑制することが
できる層が積層された絶縁膜を、絶縁膜３２１に適用することができる。
【００６４】
発光パネル３００は、発光素子（例えば第１の発光素子３５０Ｒ）を絶縁膜３２１上に
有する。
【００６５】
発光パネル３００は、第１の下部電極３５１Ｒの端部に重なる隔壁３２８を絶縁膜３２
１上に有する（図５（Ｃ）参照）。また、基板３１０と対向基板３７０の間隔を制御する
スペーサ３２９を、隔壁３２８上に有する。
【００６６】
《撮像画素の構成》
撮像画素３０８は、光電変換素子３０８ｐおよび光電変換素子３０８ｐに照射された光
を検知するための撮像画素回路を備える。また、撮像画素回路は、トランジスタ３０８ｔ
を含む。
【００６７】
例えばｐｉｎ型のフォトダイオードを光電変換素子３０８ｐに用いることができる。
【００６８】
上記したトランジスタは、酸化物半導体膜、またはシリコン半導体膜を有する。チャネ
ル形成領域に酸化物半導体膜を用いる場合、シリコン半導体膜よりも薄膜化されるため、
表示部３０１を折り曲げたときにトランジスタが破損しづらい。
【００６９】
《他の構成》
表示部３０１と、ＦＰＣ３０９（１）との間には、表示には寄与しないトランジスタ３
０３ａを備えることができる。いわゆるダミー領域３０３ｄである。
【００７０】
発光パネル３００は、信号を供給することができる配線３１１を備え、端子３１９が配
線３１１に設けられている。なお、画像信号および同期信号等の信号を供給することがで
きるＦＰＣ３０９（１）が端子３１９に電気的に接続されている。
【００７１】
なお、ＦＰＣ３０９（１）にはプリント配線基板（ＰＷＢ）が取り付けられていても良
い。
【００７２】
なお、表示素子として、発光素子を用いた場合の例を示したが、本発明の実施形態の一
態様は、これに限定されない。
【００７３】
例えば、本明細書等において、表示素子、表示素子を有する装置である表示装置、発光
素子、及び発光素子を有する装置である発光装置は、様々な形態を用いること、又は様々
な素子を有することが出来る。表示素子、表示装置、発光素子又は発光装置の一例として
は、ＥＬ（エレクトロルミネッセンス）素子（有機物及び無機物を含むＥＬ素子、有機Ｅ
Ｌ素子、無機ＥＬ素子）、ＬＥＤ（白色ＬＥＤ、赤色ＬＥＤ、緑色ＬＥＤ、青色ＬＥＤな
ど）、トランジスタ（電流に応じて発光するトランジスタ）、電子放出素子、液晶素子、
電子インク、電気泳動素子、グレーティングライトバルブ（ＧＬＶ）、プラズマディスプ
レイ（ＰＤＰ）、ＭＥＭＳ（マイクロ・エレクトロ・メカニカル・システム）、デジタル
マイクロミラーデバイス（ＤＭＤ）、ＤＭＳ（デジタル・マイクロ・シャッター）、ＭＩ
ＲＡＳＯＬ（登録商標）、ＩＭＯＤ（インターフェアレンス・モジュレーション）素子、
エレクトロウェッティング素子、圧電セラミックディスプレイ、カーボンナノチューブ、
など、電気磁気的作用により、コントラスト、輝度、反射率、透過率などが変化する表示
媒体を有するものがある。ＥＬ素子を用いた表示装置の一例としては、ＥＬディスプレイ
などがある。電子放出素子を用いた表示装置の一例としては、フィールドエミッションデ
ィスプレイ（ＦＥＤ）又はＳＥＤ方式平面型ディスプレイ（ＳＥＤ：Ｓｕｒｆａｃｅ−ｃ
ｏｎｄｕｃｔｉｏｎ  Ｅｌｅｃｔｒｏｎ−ｅｍｉｔｔｅｒ  Ｄｉｓｐｌｙ）などがある。
液晶素子を用いた表示装置の一例としては、液晶ディスプレイ（透過型液晶ディスプレイ
、半透過型液晶ディスプレイ、反射型液晶ディスプレイ、直視型液晶ディスプレイ、投射
型液晶ディスプレイ）などがある。電子インク又は電気泳動素子を用いた表示装置の一例
としては、電子ペーパーなどがある。
【００７４】
なお、本実施の形態は、本明細書で示す他の実施の形態と適宜組み合わせることができ
る。
【００７５】
（実施の形態３）
本実施の形態では、表示モジュール、電子機器について述べる。表示モジュール、電子
機器では、他の実施の形態で述べた内容を利用して構成されている。
【００７６】
〈発光装置の外観〉
図６は、本発明の一態様に係る発光装置（表示モジュール）の外観の一例を示す、斜視
図である。図６に示す発光装置は、パネル１６０１と、コントローラ、電源回路、画像処
理回路、画像メモリ、ＣＰＵなどが設けられた回路基板１６０２と、接続部１６０３とを
有している。パネル１６０１は、画素が複数設けられた画素部１６０４と、複数の画素を
行ごとに選択する駆動回路１６０５と、選択された行内の画素への画像信号Ｓｉｇの入力
を制御する駆動回路１６０６とを有する。
【００７７】
回路基板１６０２から、接続部１６０３を介して、各種信号と、電源の電位とが、パネ
ル１６０１に入力される。接続部１６０３には、ＦＰＣ（Ｆｌｅｘｉｂｌｅ  Ｐｒｉｎｔ
ｅｄ  Ｃｉｒｃｕｉｔ）などを用いることができる。また、接続部１６０３にＣＯＦテー
プを用いる場合、回路基板１６０２内の一部の回路、或いはパネル１６０１が有する駆動
回路１６０５や駆動回路１６０６の一部などを別途用意したチップに形成しておき、ＣＯ
Ｆ（Ｃｈｉｐ  Ｏｎ  Ｆｉｌｍ）法を用いて当該チップをＣＯＦテープに接続しておいて
も良い。
【００７８】
なお、パネル１６０１の上には、タッチセンサが設けられていてもよい。タッチセンサ
は、パネル１６０１とは別の基板を用いて構成されていてもよいが、パネル１６０１が有
する基板に、設けられていてもよい。
【００７９】
〈電子機器の構成例〉
本発明の一態様に係る発光装置は、表示装置、ノート型パーソナルコンピュータ、記録
媒体を備えた画像再生装置（代表的にはＤＶＤ：Ｄｉｇｉｔａｌ  Ｖｅｒｓａｔｉｌｅ  
Ｄｉｓｃ等の記録媒体を再生し、その画像を表示しうるディスプレイを有する装置）に用
いることができる。その他に、本発明の一態様に係る発光装置を用いることができる電子
機器として、携帯電話、携帯型ゲーム機、携帯情報端末、電子書籍、ビデオカメラ、デジ
タルスチルカメラなどのカメラ、ゴーグル型ディスプレイ（ヘッドマウントディスプレイ
）、ナビゲーションシステム、音響再生装置（カーオーディオ、デジタルオーディオプレ
イヤー等）、複写機、ファクシミリ、プリンター、プリンター複合機、現金自動預け入れ
払い機（ＡＴＭ）、自動販売機などが挙げられる。これら電子機器の具体例を図７に示す
。
【００８０】
図７（Ａ）は表示装置であり、筐体５００１、表示部５００２、支持台５００３等を有
する。本発明の一態様に係る発光装置は、表示部５００２に用いることができる。なお、
表示装置には、パーソナルコンピュータ用、ＴＶ放送受信用、広告表示用などの全ての情
報表示用表示装置が含まれる。
【００８１】
図７（Ｂ）は携帯情報端末であり、筐体５１０１、表示部５１０２、操作キー５１０３
等を有する。本発明の一態様に係る発光装置は、表示部５１０２に用いることができる。
【００８２】
図７（Ｃ）は表示装置であり、曲面を有する筐体５７０１、表示部５７０２等を有する
。本発明の一態様に係る発光装置に可撓性を有する基板を用いることで、曲面を有する筐
体５７０１に支持された表示部５７０２に、当該発光装置を用いることができ、フレキシ
ブルかつ軽くて使い勝手の良い表示装置を提供することができる。
【００８３】
図７（Ｄ）は携帯型ゲーム機であり、筐体５３０１、筐体５３０２、表示部５３０３、
表示部５３０４、マイクロホン５３０５、スピーカー５３０６、操作キー５３０７、スタ
イラス５３０８等を有する。本発明の一態様に係る発光装置は、表示部５３０３または表
示部５３０４に用いることができる。表示部５３０３または表示部５３０４に本発明の一
態様に係る発光装置を用いることで、ユーザーの使用感に優れ、品質の低下が起こりにく
い携帯型ゲーム機を提供することができる。なお、図７（Ｄ）に示した携帯型ゲーム機は
、２つの表示部５３０３と表示部５３０４とを有しているが、携帯型ゲーム機が有する表
示部の数は、これに限定されない。
【００８４】
図７（Ｅ）は電子書籍であり、筐体５６０１、表示部５６０２等を有する。本発明の一
態様に係る発光装置は、表示部５６０２に用いることができる。そして、可撓性を有する
基板を用いることで、発光装置に可撓性を持たせることができるので、フレキシブルかつ
軽くて使い勝手の良い電子書籍を提供することができる。
【００８５】
図７（Ｆ）は携帯電話であり、筐体５９０１に、表示部５９０２、マイク５９０７、ス
ピーカー５９０４、カメラ５９０３、外部接続部５９０６、操作用のボタン５９０５が設
けられている。表示部５９０２に、本発明の一態様に係る発光装置を用いることできる。
また、本発明の一態様に係る発光装置を、可撓性を有する基板に形成した場合、図７（Ｆ
）に示すような曲面を有する表示部５９０２に当該発光装置を適用することが可能である
。
【００８６】
なお、本実施の形態は、本明細書で示す他の実施の形態と適宜組み合わせることができ
る。
【符号の説明】
【００８７】
１００    半導体装置
１０１    表示部
１０２    領域
１１１    筐体
１１１ａ    透明領域
１１１ｂ    領域
１１２    筐体
１１２ａ    領域
１１３    嵌合部
１１４    嵌合部
１１８    領域
１２２    領域
１２３    嵌合部
１２４    嵌合部
１２８    折曲領域
１２９    折曲領域
１３１    緩衝材
１３２    緩衝材
１４５    フィルム
１４６    領域
１４７    領域
１４８    領域
１５０    外付回路領域
１５０ａ    外付回路領域
１５０ｂ    外付回路領域
３００    発光パネル
３０１    表示部
３０２    画素
３０２Ｂ    副画素
３０２Ｇ    副画素
３０２Ｒ    副画素
３０２ｔ    トランジスタ
３０３ａ    トランジスタ
３０３ｄ    ダミー領域
３０８    撮像画素
３０８ｐ    光電変換素子
３０８ｔ    トランジスタ
３０９    ＦＰＣ
３１０    基板
３１０ａ    バリア膜
３１０ｂ    基板
３１０ｃ    接着層
３１１    配線
３１９    端子
３２１    絶縁膜
３２８    隔壁
３２９    スペーサ
３５０Ｒ    発光素子
３５１Ｒ    下部電極
３５２    上部電極
３５３    層
３５３ａ    発光ユニット
３５３ｂ    発光ユニット
３５４    中間層
３６０    封止材
３６７ＢＭ    遮光層
３６７ｐ    反射防止層
３６７Ｒ    着色層
３７０    対向基板
３７０ａ    バリア膜
３７０ｂ    基板
３７０ｃ    接着層
３８０Ｂ    発光構造体
３８０Ｇ    発光構造体
３８０Ｒ    発光構造体
３９５    領域
１６０１    パネル
１６０２    回路基板
１６０３    接続部
１６０４    画素部
１６０５    駆動回路
１６０６    駆動回路
５００１    筐体
５００２    表示部
５００３    支持台
５１０１    筐体
５１０２    表示部
５１０３    操作キー
５３０１    筐体
５３０２    筐体
５３０３    表示部
５３０４    表示部
５３０５    マイクロホン
５３０６    スピーカー
５３０７    操作キー
５３０８    スタイラス
５６０１    筐体
５６０２    表示部
５７０１    筐体
５７０２    表示部
５９０１    筐体
５９０２    表示部
５９０３    カメラ
５９０４    スピーカー
５９０５    ボタン
５９０６    外部接続部
５９０７    マイク
【図１】
2020190741.tif 000003
【図２】
2020190741.tif 000004
【図３】
2020190741.tif 000005
【図４】
2020190741.tif 000006
【図５】
2020190741.tif 000007
【図６】
2020190741.tif 000008
【図７】
2020190741.tif 000009